(57)【要約】  【課題】上位装置からの表示命令に依らずに、当該表示データの盗聴、改竄、流出を防止して当該表示データの表示が可能なＩＣカードのデータ表示方法及びＩＣカードの提供。  【解決手段】ＩＣチップ１と表示部２を有して１以上のアプリケーションを搭載するＩＣカードαであって、ＩＣチップ１に、表示領域データＡを有する表示領域管理ファイル３と、表示イベントデータＢを有する表示イベント管理ファイル４とを保持する表示処理情報記憶手段１１と、イベントの発生を検出する状態変化検出手段１２と、表示部２の表示領域２ａ，２ｂ，２ｃ，２ｄへのアクセス権を獲得する表示領域アクセス権獲得手段１３と、表示領域データＡと表示イベントデータＢとから表示するデータを読み出すデータ読み出し手段１４と、表示データを生成するデータ変換手段１５と、表示部２に表示データを出力する表示データ出力手段１６と、を有する特徴的構成手段の採用。  【選択図】図１
2005071258.tif 000002
【特許請求の範囲】
【請求項１】
少なくともＩＣチップと表示部を有して１以上のアプリケーションを搭載するＩＣカードにおいて、当該アプリケーションの処理による所定のイベントが発生したときに、当該イベント毎に当該表示部の表示領域に当該イベントに基づく表示データの表示を行うためのＩＣカードのデータ表示方法であって、
予め前記ＩＣチップは、前記表示領域毎に当該表示領域条件を管理する表示領域データと、前記イベント毎にそれぞれ対応して少なくとも前記表示データを表示するための前記表示領域を示す表示イベントデータを保持しておき、
前記ＩＣチップにおいて、
前記アプリケーション所定の処理による所定のイベントの発生を検出して、
当該イベントに対応する当該ＩＣチップ内に保持された全ての前記表示イベントデータを検索し、
検索された当該表示イベントデータ中の前記表示領域から特定される当該表示領域に対応する前記表示領域データを取得して、
当該表示イベントデータと当該表示領域データとから当該表示領域へのアクセス権の獲得を行うとともに、
当該表示イベントデータにて指定されたデータを読み出し、
当該データから当該表示イベントデータにて指定された表示形式による前記表示データを生成して、
前記表示部の当該アクセス権を獲得した当該表示領域に当該表示データを出力することにより、
当該表示部の当該表示領域において、前記表示データを表示する、
ことを特徴とするＩＣカードのデータ表示方法。
【請求項２】
前記イベントの発生の検出は、
前記ＩＣチップにおいて、
前記表示イベントデータ中のイベント条件情報として事前に設定された、前記ＩＣカードへの電力の供給の検知、前記ＩＣチップ内に保持する特定のディレクトリの選択と当該選択の解除、前記ＩＣチップ内に保持する特定のファイルの選択と当該選択の解除、前記アクセス権の獲得に用いる鍵の認証、当該鍵の照合、当該鍵の閉塞、前記ディレクトリの創成、前記ディレクトリの削除、前記ファイルの創成、前記ファイルの削除、前記ファイル内のデータの書き換え、前記ファイル内のデータの読み出しのうちの１以上の実施を検出する、
ことを特徴とする請求項１に記載のＩＣカードのデータ表示方法。
【請求項３】
前記データの読み出しは、
予め、前記ＩＣチップに、前記アプリケーションのそれぞれに対応して、当該データのデータ参照先情報を有する前記表示イベントデータと、当該データ参照先情報により特定される参照先データとを、当該アプリケーション毎に管理するデータ領域にて保持しておき、
前記表示イベントデータが前記データ参照先情報を有したときに、
当該データとして当該データ参照先情報により特定される前記参照先データを読み出す、
ことを特徴とする請求項１又は２に記載のＩＣカードのデータ表示方法。
【請求項４】
前記データの読み出しは、
前記表示イベントデータ毎に、予め、前記データ参照先情報中に、前記参照先データにアクセスするためのアクセス権制御情報を保持しておき、
当該アクセス権制御情報を用いて当該参照先データへのアクセス権獲得のための照合又は認証を行い、
当該アクセス権制御情報が正当なものであると判断したときに、当該参照先データの読み出しを行う、
ことを特徴とする請求項３に記載のＩＣカードのデータ表示方法。
【請求項５】
前記参照先データの読み出しは、
予め前記データ参照先情報中に、前記参照先データを格納する位置を特定するために、事前に設定されて前記ＩＣチップ内にてユニークなファイル識別子とレコード番号とを含む参照先データ位置情報を保持しておき、
当該ファイル識別子により特定するファイル内の当該レコード番号にて特定する当該参照先データを読み出す、
ことを特徴とする請求項３又は４に記載のＩＣカードのデータ表示方法。
【請求項６】
前記参照先データの読み出しは、
予め前記データ参照先情報中に、当該参照先データを格納する位置を特定するために、事前に設定されて前記ＩＣチップ内にてユニークなファイル識別子とタグ番号とを含む参照先データ位置情報を保持しておき、
当該ファイル識別子により特定するファイル内の当該タグ番号にて特定する当該参照先データを読み出す、
ことを特徴とする請求項３又は４に記載のＩＣカードのデータ表示方法。
【請求項７】
前記参照先データの読み出しは、
予め前記データ参照先情報中に、当該参照先データを格納する位置を特定するために、前記ＩＣチップに格納するデータオブジェクトのタグ番号を保持しておき、
当該タグ番号により特定する当該参照先データを読み出す、
ことを特徴とする請求項３又は４に記載のＩＣカードのデータ表示方法。
【請求項８】
前記参照先データを格納する位置の特定は、
さらに、前記データ参照先情報中に、当該参照先データを格納するディレクトリ毎に事前に設定されて前記ＩＣチップ内にてユニークなディレクトリ識別子と、当該参照先データを参照する前記アプリケーションに対して事前に設定されて当該アプリケーション毎にユニークなアプリケーション識別子とのうち１以上を保持しておき、
当該データ参照先情報を用いて当該参照先データの位置を特定する、
ことを特徴とする請求項５、６又は７に記載のＩＣカードのデータ表示方法。
【請求項９】
前記表示データの生成は、
前記表示イベントデータ中に前記表示データの表示形式を指定する表示変換形式を有するとともに、
前記ＩＣチップにおいて、予め、当該表示変換形式に対応して前記アプリケーションのそれぞれにより共有可能な変換規則を保持しておき、
前記表示イベントデータにより所定の前記表示変換形式が指定された場合に、当該表示変換形式に対応する前記変換規則に基づき当該データを変換して、当該表示データを生成する、
ことを特徴とする請求項１、２、３、４、５、６、７又は８に記載のＩＣカードのデータ表示方法。
【請求項１０】
前記表示領域へのアクセス権の獲得は、
前記表示領域データ中に前記表示イベントデータ毎に事前に設定されたアクセスレベルが、当該表示イベントデータに示された当該表示領域データに対応する前記表示領域に対する表示方法種別による表示を許可するものであった場合に、
当該表示領域データ中の当該表示イベントデータに対応する表示領域保護鍵と、当該表示イベントデータにて保持する表示領域アクセス鍵とを用いて当該表示領域のアクセス権獲得のための照合又は認証を行い、
当該表示領域保護鍵と当該表示領域アクセス鍵とが正当なものであると判断したときに、前記表示データの当該表示領域へのアクセスを可能とする当該アクセス権を獲得する、
ことを特徴とする請求項１、２、３、４、５、６、７、８又は９に記載のＩＣカードのデータ表示方法。
【請求項１１】
少なくともＩＣチップと表示部を有して１以上のアプリケーションを搭載し、当該アプリケーションの処理による所定のイベントが発生したときに、当該イベント毎に当該表示部の表示領域に当該イベントに基づく表示データの表示を行うＩＣカードであって、
前記ＩＣチップにおいて、
前記表示領域毎に当該表示領域条件を管理する表示領域データを有する表示領域管理ファイルと、前記イベント毎にそれぞれ対応して少なくとも前記表示データを表示するための前記表示領域識別子を格納する表示イベントデータを有する表示イベント管理ファイルとを保持する表示処理情報記憶手段と、
前記所定のイベントの発生を検出する状態変化検出手段と、
当該状態変化検出手段により当該イベントの発生が検出された際に、前記表示処理情報記憶手段にて保持する前記表示イベント管理ファイルから当該イベントに対応する前記表示イベントデータと、前記表示領域管理ファイルから当該表示イベントデータ中の前記表示領域識別子から特定される当該表示領域に対応する前記表示領域データとから当該表示領域へのアクセス権を獲得する表示領域アクセス権獲得手段と、
当該状態変化検出手段により検出された当該イベントに対応する当該表示イベントデータを当該表示処理情報記憶手段から検索して、当該表示イベントデータにて指定されたデータを読み出すデータ読み出し手段と、
当該データ読み出し手段により読み出したデータから、当該表示イベントデータにて指定された表示形式による前記表示データを生成するデータ変換手段と、
当該データ変換手段にて生成した前記表示データを当該表示領域アクセス権獲得手段にて前記アクセス権を獲得した当該表示領域に出力する表示データ出力手段と、を有する、
ことを特徴とするＩＣカード。
【請求項１２】
前記表示イベントデータは、
前記ＩＣカードへの電力の供給の検知、前記ＩＣチップ内に保持する特定のディレクトリの選択と当該選択の解除、前記ＩＣチップ内に保持する特定のファイルの選択と当該選択の解除、前記アクセス権の獲得に用いる鍵の認証、当該鍵の照合、当該鍵の閉塞、前記ディレクトリの創成、前記ディレクトリの削除、前記ファイルの創成、前記ファイルの削除、前記ファイル内のデータの書き換え、前記ファイル内のデータの読み出しのうちのいずれか１つを前記イベントとして示すイベント条件情報を保持して構成する、
ことを特徴とする請求項１１に記載のＩＣカード。
【請求項１３】
前記表示イベントデータは、
前記データ読み出し手段にて、読み出す前記データの参照先を特定するためのデータ参照先情報を有することにより、
前記表示処理情報記憶手段は、
前記アプリケーションのそれぞれに対応して、前記表示イベント管理ファイルと、当該表示イベント管理ファイル中の前記表示イベントデータの当該データ参照先情報により特定される参照先データとを、当該アプリケーション毎に管理するデータ領域にて保持する機能手段を具備する、
ことを特徴とする請求項１１又は１２に記載のＩＣカード。
【請求項１４】
前記データ参照先情報は、
前記表示イベントデータ毎に、当該参照先データ毎に付与されたファイル保護鍵を一意に示すファイル保護鍵識別子と、
当該表示イベントデータに対応する前記アプリケーション毎に付与されたアクセス用鍵を一意に示すアクセス用鍵識別子と、を格納するアクセス権制御情報を有することにより、
前記データ読み出し手段は、
前記参照先データへのアクセスを、前記アクセス権制御情報中の前記ファイル保護鍵識別子と前記アクセス用鍵識別子とから特定する、前記ファイル保護鍵と前記アクセス用鍵とを用いて照合又は認証を行う機能手段を具備して、
前記アクセス権制御情報が正当なものであると判断したときに、当該参照先データの読み出しを行うよう機能構成される、
ことを特徴とする請求項１３に記載のＩＣカード。
【請求項１５】
前記データ参照先情報は、
前記参照先データを格納する位置を特定するための、前記ＩＣチップ内にてユニークなファイル識別子とレコード番号とを含む参照先データ位置情報を有することにより、
前記データ読み出し手段は、
当該ファイル識別子により特定するファイル内の当該レコード番号にて当該参照先データを特定する機能手段を具備する、
ことを特徴とする請求項１３又は１４に記載のＩＣカード。
【請求項１６】
前記データ参照先情報は、
前記参照先データを格納する位置を特定するための、前記ＩＣチップ内にてユニークなファイル識別子とタグ番号とを含む参照先データ位置情報を有することにより、
前記データ読み出し手段は、
当該ファイル識別子により特定するファイル内の当該タグ番号に基づき当該参照先データを特定する機能手段を具備する、
ことを特徴とする請求項１３又は１４に記載のＩＣカード。
【請求項１７】
前記データ参照先情報は、
前記参照先データを格納する位置を特定するための、前記ＩＣチップに格納するデータオブジェクトのタグ番号を含む参照先データ位置情報を有することにより、
前記データ読み出し手段は、
当該データオブジェクトのタグ番号に基づき当該参照先データを特定する機能手段を具備する、
ことを特徴とする請求項１３又は１４に記載のＩＣカード。
【請求項１８】
前記参照先データ位置情報は、
さらに、前記データ読み出し手段にて前記参照先データを特定する際に利用可能な、当該参照先データを格納するディレクトリ毎に事前に設定されて前記ＩＣチップ内にてユニークなディレクトリ識別子と、当該参照先データを参照する前記アプリケーションに対して事前に設定されて当該アプリケーション毎にユニークなアプリケーション識別子とのうち１以上を有する、
ことを特徴とする請求項１５、１６又は１７に記載のＩＣカード。
【請求項１９】
前記表示イベントデータは、
当該表示イベントデータ中に、前記表示形式を指定する表示変換形式を有するとともに、
前記データ変換手段は、
前記アプリケーションのそれぞれにより共有可能な、当該表示変換形式に対応した変換規則を保持する機能手段を具備して、
前記表示イベントデータにより所定の前記表示変換形式が指定された場合に、当該表示変換形式に対応する前記変換規則に基づき前記データを変換して、当該表示データを生成可能に機能構成される、
ことを特徴とする請求項１１、１２、１３、１４、１５、１６、１７又は１８に記載のＩＣカード。
【請求項２０】
前記表示領域データは、
前記表示領域と前記表示イベントデータ毎に付与されたアクセスレベルと、表示領域保護鍵を一意に示す表示領域保護鍵識別子とを有するとともに、
前記表示イベントデータは、
前記表示領域に対する表示方法種別と、当該表示イベントデータ毎に付与された表示領域アクセス鍵を一意に示す表示領域アクセス鍵識別子とを保有することにより、
前記表示領域アクセス権獲得手段は、
前記表示領域データ中に前記表示イベントデータ毎に事前に設定されたアクセスレベルが、前記表示イベントデータ中の前記表示方法種別による表示を許可するものであった場合に、
前記表示領域保護鍵識別子により特定する前記表示領域保護鍵と、前記表示領域アクセス鍵識別子により特定する前記表示領域アクセス鍵とを用いて照合又は認証を行う機能手段を有して、
当該表示領域保護鍵と当該表示領域アクセス鍵とが正当なものであると判断したときに、前記表示データの当該表示領域へのアクセスを可能とする前記アクセス権を獲得可能に機能構成される、
ことを特徴とする請求項１１、１２、１３、１４、１５、１６、１７、１８又は１９に記載のＩＣカード。
【発明の詳細な説明】
【技術分野】
【０００１】
本発明は、ＩＣカードのデータ表示方法及びＩＣカード（ＩＣ：集積回路）に関し、詳しくは、少なくともＩＣチップと表示部を有して１以上のアプリケーションを搭載するＩＣカードにおいて、当該アプリケーションの処理により予め指定された所定のイベントが発生したときに、当該イベント毎に予め設定されて当該ＩＣチップに保持された表示イベントデータに基づき当該表示部の表示領域に表示データの表示を行うためのＩＣカードのデータ表示方法、及びその実施に直接使用するＩＣカードに係わる。
【背景技術】
【０００２】
近年、交通系、金融系、流通系、公共系、通信系などのサービス提供にあたり、ＩＣカード、携帯電話、携帯端末等を用いた簡易な個人向けサービスの提供が行われている。
【０００３】
ここで、表示機能付きＩＣカードは、上位装置からの表示内容を含む表示命令を受けて、表示を行っていた。また、この表示機能つきＩＣカード内に保持された情報についても、上位装置からの表示命令により表示することを可能としていた。あるいは、例えば、鍵の照合成功などの所定の動作状態時に、予め設定された所定の文字やパターンの表示を行なったり、ボタンなどの入力インタフェースを有する表示機能付きＩＣカードでは、この入力インタフェースからの入力を契機に表示内容を切替えていた。
【０００４】
なお、従来のＩＣカードの詳細については、下記の非特許文献１及び２に記載されている。
【非特許文献１】「ＮＴＴ  Ｒ＆Ｄ  ２０００年１２月号」，vol.49 No.12，  社団法人電気通信協会発行  ２０００年
【非特許文献２】「ＮＴＴ技術ジャーナル  ２００１年１２月号」  社団法人電気通信協会発行  ２００１年
【発明の開示】
【発明が解決しようとする課題】
【０００５】
しかしながら、従来の表示機能付きＩＣカードでは、表示内容を含む表示命令を上位装置から受けて表示を行なうと、表示内容を通信途中で改竄あるいは盗聴されたり、誤った情報を表示してしまったり、表示する情報が他人に漏れてしまうという問題があった。
【０００６】
また、表示機能付きＩＣカード内の情報を上位装置から受けて表示を行なうと、上位装置が、少なくとも表示機能付きＩＣカードの表示タイミングや表示データを管理する必要があり、複数のアプリケーションを搭載した表示機能付きＩＣカードの場合には、上位装置が全てのアプリケーションを管理する必要があり、上位装置が複雑になってしまうという問題があった。
【０００７】
さらに、動作状態の変化に応じて決められた情報を表示する表示機能付きＩＣカードにおいて、同じく複数のアプリケーションを搭載する場合に、限られた表示面を有効に活用するためには、複数のアプリケーション間で表示内容が重複したり位置が重ならないように、搭載するアプリケーション間でそれぞれ調整する必要があった。
【０００８】
そして、入力インタフェースを使って表示を切替える表示機能付きＩＣカードの場合には、この表示機能付きＩＣカードを動作させるために電源を内蔵する必要があり、コストアップとなっていた。またこのとき、小さな表示機能付きＩＣカード上にある入力インタフェースを操作する必要があり、表示の切り替えが煩雑になってしまうという問題があった。
【０００９】
ここにおいて、本発明の解決すべき主要な目的は、次のとおりである。
即ち、本発明の第１の目的は、表示部を有するＩＣカード上に表示データを表示するにあたり、上位装置からの表示命令に依らずに、当該表示データの盗聴、改竄、流出を防止して当該表示データの表示が可能なＩＣカードのデータ表示方法及びＩＣカードを提供せんとするものである。
【００１０】
本発明の第２の目的は、複数のアプリケーションを搭載するＩＣカードにおいて、それぞれのアプリケーションからの表示データを表示するにあたり、当該アプリケーションを変更することなく、表示データや表示するタイミングを簡単に追加、変更可能なＩＣカードのデータ表示方法及びＩＣカードを提供せんとするものである。
【００１１】
本発明の第３の目的は、複数のアプリケーション提供者からそれぞれ提供されたアプリケーションを搭載するＩＣカードおいて、他のアプリケーションからの表示領域の書き換え及び他のアプリケーションに基づくファイル内のデータの悪用を防止可能なＩＣカードのデータ表示方法及びＩＣカードを提供せんとするものである。
【００１２】
本発明の目的は、明細書、図面、特に特許請求の範囲の各請求項の記載から、自ずと明らかになろう。
【課題を解決するための手段】
【００１３】
まず、本発明方法においては、ＩＣチップと表示部を有するＩＣカードのＩＣチップにおいて、アプリケーション所定の処理による所定のイベントの発生を検出して、当該イベントに対応する当該ＩＣチップ内に保持された全ての表示イベントデータを検索し、検索された当該表示イベントデータ中の表示領域から特定される当該表示領域に対応する表示領域データを取得して、当該表示イベントデータと当該表示領域データとから当該表示領域へのアクセス権の獲得を行うとともに、当該表示イベントデータにて指定されたデータを読み出し、当該データから当該表示イベントデータにて指定された表示形式による表示データを生成して、表示部の当該アクセス権を獲得した当該表示領域に当該表示データを出力することにより、当該表示部の当該表示領域において、表示データを表示する、という特徴的構成手法を講じる。
【００１４】
一方、本発明装置においては、ＩＣチップと表示部を有するＩＣカードであって、当該ＩＣチップにおいて、表示領域毎に当該表示領域条件を管理する表示領域データを有する表示領域管理ファイルと、イベント毎にそれぞれ対応して少なくとも表示データを表示するための表示領域識別子を格納する表示イベントデータを有する表示イベント管理ファイルとを保持する表示処理情報記憶手段と、所定のイベントの発生を検出する状態変化検出手段と、当該状態変化検出手段により当該イベントの発生が検出された際に、表示処理情報記憶手段にて保持する前記表示イベント管理ファイルから当該イベントに対応する前記表示イベントデータと、前記表示領域管理ファイルから当該表示イベントデータ中の表示領域識別子から特定される当該表示領域に対応する前記表示領域データとから当該表示領域へのアクセス権を獲得する表示領域アクセス権獲得手段と、当該状態変化検出手段により検出された当該イベントに対応する当該表示イベントデータを当該表示処理情報記憶手段から検索して、当該表示イベントデータにて指定されたデータを読み出すデータ読み出し手段と、当該データ読み出し手段により読み出したデータから、当該表示イベントデータにて指定された表示形式による表示データを生成するデータ変換手段と、当該データ変換手段にて生成した表示データを当該表示領域アクセス権獲得手段にて前記アクセス権を獲得した当該表示領域に出力する表示データ出力手段と、を有する、という特徴的構成手段を講じる。
【００１５】
さらに、具体的詳細に述べると、当該課題の解決では、本発明が次に列挙する上位概念から下位概念に亙る新規な特徴的構成手法及び手段を採用することにより、前記目的を達成するよう為される。
【００１６】
即ち、本発明方法の第１の特徴は、少なくともＩＣチップと表示部を有して１以上のアプリケーションを搭載するＩＣカードにおいて、当該アプリケーションの処理による所定のイベントが発生したときに、当該イベント毎に当該表示部の表示領域に当該イベントに基づく表示データの表示を行うためのＩＣカードのデータ表示方法であって、予め前記ＩＣチップは、前記表示領域毎に当該表示領域条件を管理する表示領域データと、前記イベント毎にそれぞれ対応して少なくとも前記表示データを表示するための前記表示領域を示す表示イベントデータを保持しておき、前記ＩＣチップにおいて、前記アプリケーション所定の処理による所定のイベントの発生を検出して、当該イベントに対応する当該ＩＣチップ内に保持された全ての前記表示イベントデータを検索し、検索された当該表示イベントデータ中の前記表示領域から特定される当該表示領域に対応する前記表示領域データを取得して、当該表示イベントデータと当該表示領域データとから当該表示領域へのアクセス権の獲得を行うとともに、当該表示イベントデータにて指定されたデータを読み出し、当該データから当該表示イベントデータにて指定された表示形式による前記表示データを生成して、前記表示部の当該アクセス権を獲得した当該表示領域に当該表示データを出力することにより、当該表示部の当該表示領域において、前記表示データを表示してなる、ＩＣカードのデータ表示方法の構成採用にある。
【００１７】
本発明方法の第２の特徴は、上記本発明方法の第１の特徴における前記イベントの発生の検出を、前記ＩＣチップにおいて、前記表示イベントデータ中のイベント条件情報として事前に設定された、前記ＩＣカードへの電力の供給の検知、前記ＩＣチップ内に保持する特定のディレクトリの選択と当該選択の解除、前記ＩＣチップ内に保持する特定のファイルの選択と当該選択の解除、前記アクセス権の獲得に用いる鍵の認証、当該鍵の照合、当該鍵の閉塞、前記ディレクトリの創成、前記ディレクトリの削除、前記ファイルの創成、前記ファイルの削除、前記ファイル内のデータの書き換え、前記ファイル内のデータの読み出しのうちの１以上の実施を検出してなる、ＩＣカードのデータ表示方法の構成採用にある。
【００１８】
本発明方法の第３の特徴は、上記本発明方法の第１又は第２の特徴における前記データの読み出しを、予め、前記ＩＣチップに、前記アプリケーションのそれぞれに対応して、当該データのデータ参照先情報を有する前記表示イベントデータと、当該データ参照先情報により特定される参照先データとを、当該アプリケーション毎に管理するデータ領域にて保持しておき、前記表示イベントデータが前記データ参照先情報を有したときに、当該データとして当該データ参照先情報により特定される前記参照先データを読み出してなる、ＩＣカードのデータ表示方法の構成採用にある。
【００１９】
本発明方法の第４の特徴は、上記本発明方法の第３の特徴における前記データの読み出しを、前記表示イベントデータ毎に、予め、前記データ参照先情報中に、前記参照先データにアクセスするためのアクセス権制御情報を保持しておき、当該アクセス権制御情報を用いて当該参照先データへのアクセス権獲得のための照合又は認証を行い、当該アクセス権制御情報が正当なものであると判断したときに、当該参照先データの読み出しを行ってなる、ＩＣカードのデータ表示方法の構成採用にある。
【００２０】
本発明方法の第５の特徴は、上記本発明方法の第３又は第４の特徴における前記参照先データの読み出しを、予め前記データ参照先情報中に、前記参照先データを格納する位置を特定するために、事前に設定されて前記ＩＣチップ内にてユニークなファイル識別子とレコード番号とを含む参照先データ位置情報を保持しておき、当該ファイル識別子により特定するファイル内の当該レコード番号にて特定する当該参照先データを読み出してなる、ＩＣカードのデータ表示方法の構成採用にある。
【００２１】
本発明方法の第６の特徴は、上記本発明方法の第３又は第４の特徴における前記参照先データの読み出しを、予め前記データ参照先情報中に、当該参照先データを格納する位置を特定するために、事前に設定されて前記ＩＣチップ内にてユニークなファイル識別子とタグ番号とを含む参照先データ位置情報を保持しておき、当該ファイル識別子により特定するファイル内の当該タグ番号にて特定する当該参照先データを読み出してなる、ＩＣカードのデータ表示方法の構成採用にある。
【００２２】
本発明方法の第７の特徴は、上記本発明方法の第３又は第４の特徴における前記参照先データの読み出しを、予め前記データ参照先情報中に、当該参照先データを格納する位置を特定するために、前記ＩＣチップに格納するデータオブジェクトのタグ番号を保持しておき、当該タグ番号により特定する当該参照先データを読み出してなる、ＩＣカードのデータ表示方法の構成採用にある。
【００２３】
本発明方法の第８の特徴は、上記本発明方法の第５、第６又は第７の特徴における前記参照先データを格納する位置の特定を、さらに、前記データ参照先情報中に、当該参照先データを格納するディレクトリ毎に事前に設定されて前記ＩＣチップ内にてユニークなディレクトリ識別子と、当該参照先データを参照する前記アプリケーションに対して事前に設定されて当該アプリケーション毎にユニークなアプリケーション識別子とのうち１以上を保持しておき、当該データ参照先情報を用いて当該参照先データの位置を特定してなる、ＩＣカードのデータ表示方法の構成採用にある。
【００２４】
本発明方法の第９の特徴は、上記本発明方法の第１、第２、第３、第４、第５、第６、第７又は第８の特徴における前記表示データの生成を、前記表示イベントデータ中に前記表示データの表示形式を指定する表示変換形式を有するとともに、前記ＩＣチップにおいて、予め、当該表示変換形式に対応して前記アプリケーションのそれぞれにより共有可能な変換規則を保持しておき、前記表示イベントデータにより所定の前記表示変換形式が指定された場合に、当該表示変換形式に対応する前記変換規則に基づき当該データを変換して、当該表示データを生成してなる、ＩＣカードのデータ表示方法の構成採用にある。
【００２５】
本発明方法の第１０の特徴は、上記本発明方法の第１、第２、第３、第４、第５、第６、第７、第８又は第９の特徴における前記表示領域へのアクセス権の獲得を、前記表示領域データ中に前記表示イベントデータ毎に事前に設定されたアクセスレベルが、当該表示イベントデータに示された当該表示領域データに対応する前記表示領域に対する表示方法種別による表示を許可するものであった場合に、当該表示領域データ中の当該表示イベントデータに対応する表示領域保護鍵と、当該表示イベントデータにて保持する表示領域アクセス鍵とを用いて当該表示領域のアクセス権獲得のための照合又は認証を行い、当該表示領域保護鍵と当該表示領域アクセス鍵とが正当なものであると判断したときに、前記表示データの当該表示領域へのアクセスを可能とする当該アクセス権を獲得してなる、ＩＣカードのデータ表示方法の構成採用にある。
【００２６】
一方、本発明装置の第１の特徴は、少なくともＩＣチップと表示部を有して１以上のアプリケーションを搭載し、当該アプリケーションの処理による所定のイベントが発生したときに、当該イベント毎に当該表示部の表示領域に当該イベントに基づく表示データの表示を行うＩＣカードであって、前記ＩＣチップにおいて、前記表示領域毎に当該表示領域条件を管理する表示領域データを有する表示領域管理ファイルと、前記イベント毎にそれぞれ対応して少なくとも前記表示データを表示するための前記表示領域識別子を格納する表示イベントデータを有する表示イベント管理ファイルとを保持する表示処理情報記憶手段と、前記所定のイベントの発生を検出する状態変化検出手段と、当該状態変化検出手段により当該イベントの発生が検出された際に、前記表示処理情報記憶手段にて保持する前記表示イベント管理ファイルから当該イベントに対応する前記表示イベントデータと、前記表示領域管理ファイルから当該表示イベントデータ中の前記表示領域識別子から特定される当該表示領域に対応する前記表示領域データとから当該表示領域へのアクセス権を獲得する表示領域アクセス権獲得手段と、当該状態変化検出手段により検出された当該イベントに対応する当該表示イベントデータを当該表示処理情報記憶手段から検索して、当該表示イベントデータにて指定されたデータを読み出すデータ読み出し手段と、当該データ読み出し手段により読み出したデータから、当該表示イベントデータにて指定された表示形式による前記表示データを生成するデータ変換手段と、当該データ変換手段にて生成した前記表示データを当該表示領域アクセス権獲得手段にて特定された当該表示領域に出力する表示データ出力手段と、を有してなる、ＩＣカードの構成採用にある。
【００２７】
本発明装置の第２の特徴は、上記本発明装置の第１の特徴における前記表示イベントデータが、前記ＩＣカードへの電力の供給の検知、前記ＩＣチップ内に保持する特定のディレクトリの選択と当該選択の解除、前記ＩＣチップ内に保持する特定のファイルの選択と当該選択の解除、前記アクセス権の獲得に用いる鍵の認証、当該鍵の照合、当該鍵の閉塞、前記ディレクトリの創成、前記ディレクトリの削除、前記ファイルの創成、前記ファイルの削除、前記ファイル内のデータの書き換え、前記ファイル内のデータの読み出しのうちのいずれか１つを前記イベントとして示すイベント条件情報を保持して構成してなる、ＩＣカードの構成採用にある。
【００２８】
本発明装置の第３の特徴は、上記本発明装置の第１又は第２の特徴における前記表示イベントデータが、前記データ読み出し手段にて、読み出す前記データの参照先を特定するためのデータ参照先情報を有することにより、前記表示処理情報記憶手段は、前記アプリケーションのそれぞれに対応して、前記表示イベント管理ファイルと、当該表示イベント管理ファイル中の前記表示イベントデータの当該データ参照先情報により特定される参照先データとを、当該アプリケーション毎に管理するデータ領域にて保持する機能手段を具備してなる、ＩＣカードの構成採用にある。
【００２９】
本発明装置の第４の特徴は、上記本発明装置の第３の特徴における前記データ参照先情報が、前記表示イベントデータ毎に、当該参照先データ毎に付与されたファイル保護鍵を一意に示すファイル保護鍵識別子と、当該表示イベントデータに対応する前記アプリケーション毎に付与されたアクセス用鍵を一意に示すアクセス用鍵識別子と、を格納するアクセス権制御情報を有することにより、前記データ読み出し手段は、前記参照先データへのアクセスを、前記アクセス権制御情報中の前記ファイル保護鍵識別子と前記アクセス用鍵識別子とから特定する、前記ファイル保護鍵と前記アクセス用鍵とを用いて照合又は認証を行う機能手段を具備して、前記アクセス権制御情報が正当なものであると判断したときに、当該参照先データの読み出しを行うよう機能構成してなる、ＩＣカードの構成採用にある。
【００３０】
本発明装置の第５の特徴は、上記本発明装置の第３又は第４の特徴における前記データ参照先情報が、前記参照先データを格納する位置を特定するための、前記ＩＣチップ内にてユニークなファイル識別子とレコード番号とを含む参照先データ位置情報を有することにより、前記データ読み出し手段は、当該ファイル識別子により特定するファイル内の当該レコード番号にて当該参照先データを特定する機能手段を具備してなる、ＩＣカードの構成採用にある。
【００３１】
本発明装置の第６の特徴は、上記本発明装置の第３又は第４の特徴における前記データ参照先情報が、前記参照先データを格納する位置を特定するための、前記ＩＣチップ内にてユニークなファイル識別子とタグ番号とを含む参照先データ位置情報を有することにより、前記データ読み出し手段は、当該ファイル識別子により特定するファイル内の当該タグ番号に基づき当該参照先データを特定する機能手段を具備してなる、ＩＣカードの構成採用にある。
【００３２】
本発明装置の第７の特徴は、上記本発明装置の第３又は第４の特徴における前記データ参照先情報が、前記参照先データを格納する位置を特定するための、前記ＩＣチップに格納するデータオブジェクトのタグ番号を含む参照先データ位置情報を有することにより、前記データ読み出し手段は、当該データオブジェクトのタグ番号に基づき当該参照先データを特定する機能手段を具備してなる、ＩＣカードの構成採用にある。
【００３３】
本発明装置の第８の特徴は、上記本発明装置の第５、第６又は第７の特徴における前記参照先データ位置情報が、さらに、前記データ読み出し手段にて前記参照先データを特定する際に利用可能な、当該参照先データを格納するディレクトリ毎に事前に設定されて前記ＩＣチップ内にてユニークなディレクトリ識別子と、当該参照先データを参照する前記アプリケーションに対して事前に設定されて当該アプリケーション毎にユニークなアプリケーション識別子とのうち１以上を有してなる、ＩＣカードの構成採用にある。
【００３４】
本発明装置の第９の特徴は、上記本発明装置の第１、第２、第３、第４、第５、第６、第７又は第８の特徴における前記表示イベントデータが、当該表示イベントデータ中に、前記表示形式を指定する表示変換形式を有するとともに、前記データ変換手段は、前記アプリケーションのそれぞれにより共有可能な、当該表示変換形式に対応した変換規則を保持する機能手段を具備して、前記表示イベントデータにより所定の前記表示変換形式が指定された場合に、当該表示変換形式に対応する前記変換規則に基づき前記データを変換して、当該表示データを生成可能に機能構成してなる、ＩＣカードの構成採用にある。
【００３５】
本発明装置の第１０の特徴は、上記本発明装置の第１、第２、第３、第４、第５、第６、第７、第８又は第９の特徴における前記表示領域データが、前記表示領域と前記表示イベントデータ毎に付与されたアクセスレベルと、表示領域保護鍵を一意に示す表示領域保護鍵識別子とを有するとともに、前記表示イベントデータは、前記表示領域に対する表示方法種別と、当該表示イベントデータ毎に付与された表示領域アクセス鍵を一意に示す表示領域アクセス鍵識別子とを保有することにより、前記表示領域アクセス権獲得手段は、前記表示領域データ中に前記表示イベントデータ毎に事前に設定されたアクセスレベルが、前記表示イベントデータ中の前記表示方法種別による表示を許可するものであった場合に、前記表示領域保護鍵識別子により特定する前記表示領域保護鍵と、前記表示領域アクセス鍵識別子により特定する前記表示領域アクセス鍵とを用いて照合又は認証を行う機能手段を有して、当該表示領域保護鍵と当該表示領域アクセス鍵とが正当なものであると判断したときに、前記表示データの当該表示領域へのアクセスを可能とする前記アクセス権を獲得可能に機能構成してなる、ＩＣカードの構成採用にある。
【発明の効果】
【００３６】
本発明によれば、ＩＣチップと表示部を有するＩＣカードにおいて、搭載するアプリケーションの処理による所定のイベントが発生して、当該イベント毎に表示部の表示領域に対して実施する表示を、上位装置からの表示命令や、カード所有者による特別な操作を必要とせずに、所望のタイミングで表示データを当該ＩＣカード上に具備する表示領域に表示することが可能となる。
【００３７】
また、ＩＣカードによりサービスを提供するサービス提供者は、ＩＣカードに搭載するアプリケーションのプログラムを変更することなく、ＩＣカード上に表示するデータの内容や、表示データを表示するタイミングを簡単に追加、変更することができ、ＩＣカードによるサービス提供にあたり、開発コストの削減が可能となる他、ＩＣカード上の表示部を用いた各種サービスの拡充が継続的に可能になる。
【００３８】
したがって、個人の情報や利用可能なサービス内容等のＩＣカードに格納した情報の一部を確認可能な表示部により、ユーザが見たいときに情報を表示し、不要となったときには表示を消去し、特別な装置を必要とせず、軽くてハンディで、使用が煩雑でない携帯端末、あるいは表示機能付きＩＣカードを用いた個人向けサービスの提供を実施可能なものとし、ユーザは高い利便性を維持しつつ安心してサービスを享受可能な環境を実現することができる。
【発明を実施するための最良の形態】
【００３９】
以下、本発明の実施の形態につき、添付図面を参照しつつ、その装置例及びこれに対応する方法例を順に説明する。
【００４０】
（装置例）
まず、図１は、本発明の装置例に係るＩＣカードの機能構成図であり、図２は、図１に示したＩＣカードの具体的なハードウェア構成の（ａ）外観図及び（ｂ）内部構成図であり、図３は、図１に示したＩＣチップのハードウェアブロック図である。これら図１乃至図３を用いて本装置例について説明する。
【００４１】
まず、図１に示すように、本装置例に係るＩＣカードαは、少なくとも、当該ＩＣカードαの機能構成を得るためのＩＣチップ１と、ＩＣチップ１から出力された表示データを表示可能な表示部２とを有して１以上のアプリケーションを搭載して、このアプリケーションの処理による所定のイベントが発生したときに、当該イベント毎に表示部２の表示領域２ａ，２ｂ，２ｃ，２ｄに当該イベントに基づく表示データを表示可能に構成される。
【００４２】
ここで、ＩＣチップ１は、表示領域２ａ，２ｂ，２ｃ，２ｄ毎に表示領域条件を管理する表示領域データＡを有する表示領域管理ファイル３と、イベント毎にそれぞれ対応して少なくとも表示データを表示するための表示領域２ａ，２ｂ，２ｃ，２ｄを一意に示す表示領域識別子を格納する表示イベントデータＢを有する表示イベント管理ファイル４とを保持する表示処理情報記憶手段１１と、予め設定された所定のイベントの発生を検出する状態変化検出手段１２とを有する。
【００４３】
また、ＩＣチップ１は、状態変化検出手段１２により所定のイベントの発生が検出された際に、表示処理情報記憶手段１１にて保持する表示イベント管理ファイル４からこのイベントに対応する表示イベントデータＢと、表示領域管理ファイル３からこの表示イベントデータＢ中の表示領域識別子から特定される表示領域２ａ，２ｂ，２ｃ，２ｄのいずれか１つまたは複数に対応する表示領域データＡとから表示領域２ａ，２ｂ，２ｃ，２ｄへのアクセス権を獲得する表示領域アクセス権獲得手段１３を有する。
【００４４】
さらに、ＩＣチップ１は、状態変化検出手段１１により検出された当該イベントに対応する表示イベントデータＢを表示処理情報記憶手段１１から検索して、この表示イベントデータＢにて指定されたデータを読み出すデータ読み出し手段１４と、データ読み出し手段１４により読み出したデータから、表示イベントデータＢにて指定された表示形式による表示データを生成するデータ変換手段１５と、データ変換手段１５にて生成した表示データを表示領域アクセス権獲得手段１３にて特定された表示領域２ａ，２ｂ，２ｃ，２ｄに出力する表示データ出力手段１６と、を有して構成される。
【００４５】
なお、図１に示したＩＣカードαは、例えば、図２に示すハードウェアを用いて構成されるとよく、例えば、ＩＣチップ１に接続されて、このＩＣチップ１からの命令で文字や絵を表示可能な表示部２と、リーダライタ（図示せず）と電気的に接続されてＩＣチップ１動作用の電力の供給を受けるとともに、リーダライタとデータを通信可能とする接触端子５と、リーダライタからの電磁波によりＩＣチップ動作用の電力を受けるとともに、このリーダライタとデータを非接触で通信を可能とするアンテナ６を具備する。
【００４６】
したがってＩＣチップ１は、接触端子５やアンテナ６を通じて図示しないリーダライタとの間で電力制御及び通信可能に構成されるほか、データ処理及び表示部２の制御も可能に構成されて、接触端子５とアンテナ６は、リーダライタとの間の処理を直接接触により実施する場合は接触端子５のみ、非接触により実施する場合はアンテナ６のみを具備するものであっても構わない。
【００４７】
また、ＩＣチップ１は、図３に示すとおり、その内部に、例えば、ＣＰＵ（Central Processing Unit）１ａと、読み出し専用のプログラム及びデータを保持するＲＯＭ（Read Only Memory）１ｂ、読み書き可能なメモリであり電力供給が途絶えると書き込まれた情報を消去するＲＡＭ（Random Access Memory）１ｃ、読み書き可能なメモリでありかつ電力供給が途絶えても情報を保持するＮＶＲＡＭ（Non Volatile RAM）１ｄ、接触端子５を介してリーダライタ（図示せず）から電力及びクロックを受信するとともにデータを送受信する接触通信制御部１ｅ、アンテナ６を介してリーダライタ（図示せず）が発する電磁波を受けて電力に変換するとともにデータの送受信を行なう無線通信制御部１ｆと、を搭載して、ＣＰＵ１からの命令に従ってそれぞれ制御可能に構成されるとよい。
【００４８】
さらに、ＩＣチップ１は、表示制御部１ｇを搭載して、ＣＰＵ１ａからの命令に従って表示部２に文字や絵の表示データを出力可能に構成されて、表示部２は、内部に表示部２の表示領域２ａ，２ｂ，２ｃ，２ｄのそれぞれに表示する内容を保持するメモリとしてＶＲＡＭ（Video RAM）を搭載するとよく、本装置例においては表示部２を、４分割する表示領域２ａ，２ｂ，２ｃ，２ｄとして説明するものであるが、表示領域の分割数や領域の大きさは任意である。
【００４９】
以上のように構成されたＩＣカードαは、ＣＰＵ１ａの制御により、例えば、電力が供給されたときにＩＣチップ１が初期化を行い、リーダライタ（図示せず）からのコマンドを待機して、このリーダライタからの認証・照合や読み書きなどの様々なコマンドを受信したときには、各コマンドに応じた処理を実行して、その結果をこのリーダライタに送信するよう機能構成されるとよく、ここで、本装置例におけるＩＣカードαは、予め指定された処理であるイベントが行なわれたときに、予め保持する表示イベントデータＢを用いて表示処理可能に構成される。
【００５０】
次に、図４は、図１に示した表示領域管理ファイルを説明するための図である。
本装置例における表示部２は、例えば４つの分割領域２ａ，２ｂ，２ｃ，２ｄ等の複数の領域に分割可能であるものであるが、ここで、表示処理情報記憶手段１１は、それぞれの分割領域２ａ，２ｂ，２ｃ，２ｄを定義する、例えば、複数の表示領域データＡを一括保持してなる表示領域管理ファイル３をＩＣカードα内に１つのみ保持する。
【００５１】
この表示領域管理ファイル３は、図４に示すとおり、少なくとも、それぞれの表示領域２ａ，２ｂ，２ｃ，２ｄを一意に特定可能な表示領域識別子Ａ１と、表示領域識別子Ａ１にて特定する表示領域２ａ，２ｂ，２ｃ，２ｄの、限られた領域を有効に活用するために予め設定される例えば行単位で管理して状態変化検出手段１２にて検出するイベント毎に新しい行に文字や絵を表示させる等の表示タイプ種別Ａ２を格納する。
【００５２】
また、表示領域識別子Ａ１に対応する表示領域２ａ，２ｂ，２ｃ，２ｄの表示部２上における表示領域座標Ａ３と、当該表示領域２ａ，２ｂ，２ｃ，２ｄにアクセスを許可するＩＣカードαに搭載するアプリケーションの属するディレクトリの情報としてこのディレクトリ毎にそれぞれ、ディレクトリ識別子Ａ４，Ａ４´と、アクセスを許すレベルを示すアクセスレベルＡ５，Ａ５´と、アクセスを保護する表示領域保護鍵識別子Ａ６，Ａ６´を格納する。
【００５３】
ここで、本装置例における表示領域２ａ，２ｂ，２ｃ，２ｄのそれぞれに設定される表示タイプ種別Ａ２は、例えば、表示イベントデータＢで指定された例えば表示領域２ｄの最上行から下に向かって１行毎に順に、１つの表示イベントデータＢに基づく表示において最低でも１行、必要に応じて複数行に亙り表示して、最下行まで表示すると、表示が上にスクロールし、空いた一番下の行に新しい文字を表示するスクロールタイプがある。
【００５４】
他に、表示イベントデータＢで指定された例えば表示領域２ｃに対して、状態変化検出手段１２にてイベントを検出するたびに、表示領域２ｃを全面消去して最上行から指定された文字や絵を表示する一覧タイプや、表示イベントデータＢで指定された例えば表示領域２ｂに対して、最初に表示するタイミングで空いた行の中で最も上の行に、指定された文字や絵を表示して、一度表示した表示イベントデータＢとその表示行をこの表示イベントデータＢと共通のディレクトリを持つ他のイベントによって消去されるまで関係付けて、他のディレクトリに属するアプリケーションの処理に基づくイベントによる表示データをこの行に表示させないマークタイプがある。
【００５５】
さらに、表示イベントデータＢで指定された例えば表示領域２ａに対して、この表示領域２ａに対する表示イベントデータＢのアクセス履歴を保持して、状態変化検出手段１にてイベントを検出する度に、その履歴内にて多い順に表示行を並べてイベント発生頻度の高いものを上位の行に表示する履歴タイプ等があり、各表示領域２ａ，２ｂ，２ｃ，２ｄのそれぞれに、いずれか１つの表示タイプ種別Ａ２を格納するとよい。
【００５６】
また、表示領域２ａ，２ｂ，２ｃ，２ｄのそれぞれへのアクセスを許可するディレクトリ毎に設定されるアクセスレベルＡ５，Ａ５´は、表示タイプ種別Ａ２のそれぞれに予め設定された複数のアクセス権のレベルを示すものであり、本装置例においては、それぞれのアクセスレベルＡ５，Ａ５´を獲得するために、例えば表示領域保護鍵を用いた照合を必要として、この表示領域保護鍵の情報は表示領域データＡ中の各ディレクトリ毎に格納される表示領域保護鍵識別子Ａ６，Ａ６´にて特定可能に保持される。
【００５７】
続いて、図５は、図１に示した表示イベント管理ファイルを説明するための図である。
同図に示すとおり、本装置例において表示イベントデータＢは、表示部２に表示するイベントの発生条件を示して表示のタイミングを示すイベント条件情報Ｂ１と、表示データの生成に用いる参照先データの情報を示すデータ参照先情報Ｂ４と、表示動作を示す表示動作情報Ｂ５を含んで構成される。
【００５８】
なお、表示処理情報記憶手段１１内にてアプリケーションのそれぞれに対応して、表示イベント管理ファイル４とデータ参照先情報Ｂ４により特定される参照先データとを、このアプリケーション毎に管理するデータ領域にて保持する機能手段を具備するものであり、例えば、アプリケーション毎に設定された複数の表示イベントデータＢを格納する表示イベント管理ファイル４をそれぞれのアプリケーションが管理するディレクトリにて保持する。よって、表示イベントデータＢを複数保持する表示イベント管理ファイル４を、各ディレクトリに１つずつ保持するようにしても構わない。
【００５９】
ここで、イベント条件情報Ｂ１は、状態変化検出手段１２にて検出するイベントそれぞれの種別を示す、例えば、ＩＣカードαへの電力の供給の検知、ＩＣチップ１内に保持する特定のディレクトリの選択と当該選択の解除、ＩＣチップ１内に保持する特定のファイルの選択と当該選択の解除、アクセス権の獲得に用いる鍵の認証、当該鍵の照合、当該鍵の閉塞、ディレクトリの創成、ディレクトリの削除、ファイルの創成、ファイルの削除、ファイル内のデータの書き換え、ファイル内のデータの読み出しのうちのいずれか１つの状態変化を示すイベント種別Ｂ１１と、対象となるファイル又はディレクトリをＩＣチップ１内にて一意に特定する対象ファイル／ディレクトリ識別子Ｂ１２と、対象ファイルのレコード番号Ｂ１３とを有する。
【００６０】
一方、データ参照先情報Ｂ４は、参照先データファイルを特定する参照先データ位置情報Ｂ２と、この参照先データを参照する際のアクセス権を獲得するためのアクセス権制御情報Ｂ３を有して、参照先データ位置情報Ｂ２は、参照先データをＩＣチップ１内から一意に特定可能とする、例えば、ＩＣチップ１内にてそれぞれユニークな、ファイル識別子Ｂ２２と、レコード番号Ｂ２３とを有する。
【００６１】
なお、参照先データ位置情報Ｂ２は、ＩＣチップ１内から参照先データを特定可能なものであればよく、ＩＣチップ１内にてユニークなファイル識別子Ｂ２２とタグ番号又は、ＩＣチップ１に格納するデータオブジェクトのタグ番号等でもよく、その形態に併せて随時設定可能なものであり、さらに、ディレクトリ毎に事前に設定されてＩＣチップ１内にてユニークなディレクトリ識別子Ｂ２１と、この参照先データを参照するアプリケーションに対して事前に設定されてアプリケーション毎にユニークなアプリケーション識別子とのうち１以上を有するものであっても構わない。
【００６２】
また、アクセス権制御情報Ｂ３は、参照先データを含むファイルを保護するために用いる、例えば、ディレクトリ識別子Ｂ２１で指定されたディレクトリに属するファイル保護鍵を一意に特定するファイル保護鍵識別子Ｂ３１と、この参照先データを含むファイルにアクセスするために用いる、例えば、表示イベント管理ファイル４と同一ディレクトリに属するアクセス用鍵を一意に特定可能とするためのアクセス用鍵識別子ｂ３２を有する。
【００６３】
他方、表示動作情報Ｂ５は、この表示イベントデータＢにより表示データを表示する表示領域２ａ，２ｂ，２ｃ，２ｄを特定する表示領域識別子Ｂ５１と、この表示領域識別子Ｂ５１により特定される表示領域２ａ，２ｂ，２ｃ，２ｄへのアクセス権を獲得するための表示領域アクセス鍵識別子Ｂ５２と、先に示した表示領域データＡ中のアクセスレベルＡ５，Ａ５´に対応してこの表示イベントデータＢによる表示の方法を示す表示方法種別Ｂ５３とを保有するとともに、表示部２に表示出力する表示データの表示形式を示す表示変換形式Ｂ５４を有する。
【００６４】
ここで、データ読み出し手段１４は、参照先データへのアクセスを、アクセス権制御情報Ｂ３中のファイル保護鍵識別子Ｂ３１とアクセス用鍵識別子Ｂ３２とから特定する、ファイル保護鍵とアクセス用鍵とを用いて照合又は認証を行う機能手段を具備して、ここで、アクセス権制御情報Ｂ３が正当なものであると判断したときに、参照先データ位置情報Ｂ２により特定される参照先データの読み出しを行うよう機能構成される。
【００６５】
さらに、データ読み出し手段１４は、参照先データ位置情報Ｂ２が格納する、例えば、ファイル識別子Ｂ２２により特定するファイル内のレコード番号Ｂ２３にて参照先データを特定する機能手段を具備するとよく、参照先データ位置情報Ｂ２が、ＩＣチップ内にてユニークなファイル識別子Ｂ２２とタグ番号とを含むときには、このファイル識別子Ｂ２２により特定するファイル内のタグ番号に基づき参照先データを特定するものであっても構わない。
【００６６】
さらに、データ読み出し手段１４は、参照先データ位置情報Ｂ２が、参照先データを格納する位置を特定可能な、ＩＣチップ１に格納するデータオブジェクトのタグ番号を含むときにも、同様にして、データオブジェクトのタグ番号に基づき参照先データを特定可能に構成されても当然構わないものである。
【００６７】
さらに、データ読み出し手段１４は、参照先データを格納するディレクトリ毎に事前に設定されてＩＣチップ１内にてユニークなディレクトリ識別子Ｂ２１と、参照先データを参照するアプリケーションに対して事前に設定されてアプリケーション毎にユニークなアプリケーション識別子とのうち１以上を有するときには、これらディレクトリ識別子Ｂ２１又はアプリケーション識別子を補助的に用いて参照先データの特定が可能に機能構成されるとよい。
【００６８】
一方、データ変換手段１５は、ＩＣカードαに搭載するアプリケーションのそれぞれにより共有可能な、表示変換形式Ｂ５４に対応した変換規則（図示せず）を保持する機能手段を具備して、表示イベントデータＢにより所定の表示変換形式Ｂ５４が指定された場合に、この表示変換形式Ｂ５４に対応する変換規則に基づきデータを変換して、当該表示データを生成可能に機能構成されるとよい。
【００６９】
ここで、データ変換規則１５が保持する変換規則は、例えば、データ参照先情報Ｂ４により示された参照先データと、予め設定された固定的な文字、記号、図形等の特定の表示パターンとの組み合わせや、参照先データがバイナリ形式の数値データである場合に、この数値データの文字コードへの変換、又はこの数値データを予め設定された関数を通して別の値への変換や、さらに、参照先データが固定的な特定の値である場合に、他の値への置き換え等を予め設定される。
【００７０】
続いて、表示領域アクセス権獲得手段１３は、表示領域データＡ中に表示イベントデータＢ毎に事前に設定されたアクセスレベルＡ５が、表示イベントデータＢ中の表示方法種別Ｂ５３による表示を許可するものであった場合に、表示領域保護鍵識別子Ａ６により特定する表示領域保護鍵と、表示領域アクセス鍵識別子Ｂ５２により特定する表示領域アクセス鍵とを用いて照合又は認証を行う機能手段を有する。
【００７１】
ここで、表示領域保護鍵と表示領域アクセス鍵とが正当なものであると判断したときに、表示データの例えば、表示領域２ａへのアクセスを可能とするアクセス権を獲得可能に機能構成されるとよい。
【００７２】
なお、本装置例の表示部２にて表示する表示データは、表示イベントデータＢ内のデータ参照先情報Ｂ４にて指定される、予め指定された文字列、又は、予め指定された参照先データファイルの内容を変換したものであるが、参照先データファイルは、同一ディレクトリに保持されたものに限定されず、他のディレクトリに属したものであっても構わない。
【００７３】
（方法例）
続いて、以上のように構成された装置例により実施されるＩＣカードのデータ表示方法の具体例を説明する。
まず、図６は、本発明の方法例に適用されるＩＣカードのデータ表示方法を示すフローチャートである。
【００７４】
同図に示すように、本方法例では、予めＩＣチップ１に、表示領域２ａ，２ｂ，２ｃ，２ｄ毎に表示領域条件を管理する表示領域データＡと、状態変化検出手段１２にて検出するイベント毎にそれぞれ対応して少なくとも表示データを表示するための表示領域２ａ，２ｂ，２ｃ，２ｄを示す表示イベントデータＢを表示処理情報記憶手段１１に保持しておく。
【００７５】
まず、ＩＣチップ１の状態変化検出手段１２において、アプリケーション所定の処理による所定のイベントの発生を検出して（ＳＴ１）、次に、データ読み出し手段１４により、検出したイベントに対応する表示処理情報記憶手段１１内に保持された全ての表示イベントデータＢを検索し（ＳＴ２）、検索された表示イベントデータＢ中の表示領域識別子Ｂ５１から特定される表示領域２ａ，２ｂ，２ｃ，２ｄに対応する表示領域データＡを取得する（ＳＴ３）。
【００７６】
一方、表示領域アクセス権獲得手段１３により、表示イベントデータＢと表示領域データＡとから対応する表示領域２ａ，２ｂ，２ｃ，２ｄへのアクセス権の獲得を行う（ＳＴ４）とともに、データ読み出し手段１４は、表示イベントデータＢにて指定されたデータを読み出し（ＳＴ５）、引続き、データ変換手段１５により、このデータから表示イベントデータＢにて指定された表示変換形式Ｂ５３による表示データを生成して（ＳＴ６）、表示データ出力手段１６から表示部２の、ＳＴ４にてアクセス権を獲得した表示領域２ａ，２ｂ，２ｃ，２ｄに表示データを出力して（ＳＴ７）、表示部２の指定された表示領域２ａ，２ｂ，２ｃ，２ｄにおいて、この表示データを表示する（ＳＴ８）。
【００７７】
ここで、ＳＴ１のイベントの発生の検出は、例えば、表示イベントデータＢ中のイベント条件情報Ｂ１として事前に設定された、（１）活性化：ＩＣカードαへの電力の供給の検知、（２）選択・非選択：ＩＣチップ１内に保持する特定のディレクトリやファイルの選択と当該選択の解除、（３）書き換え：特定のファイル内の特定の位置に保持されたデータの書き換え、（４）読み出し：特定のファイル内の特定の位置に保持されたデータの読み出し、（５）認証：アクセス権の獲得に用いる鍵の認証、当該鍵の照合、（６）認証失敗：特定の鍵を使った認証・照合が失敗し続け、この鍵が使用停止となる鍵の閉塞、（７）創成：特定のディレクトリあるいはファイルの創成、（８）削除：特定のディレクトリあるいはファイルの削除の１以上の実施をイベントとして検知するものがある。
【００７８】
なお、ここでは８つのイベントを検出するものとしたが、これらの分類は、さらに処理の対象が、ディレクトリやファイルや鍵などによってさらに詳細に分類設定することも可能である。
【００７９】
次に、図７は、図６に示す表示領域アクセス権の獲得を説明するためのフローチャートである。
同図に示すように、図６に示したＳＴ４表示領域アクセス権の獲得は、表示領域データＡ中に表示イベントデータＢ毎に事前に設定されたアクセスレベルＡ５が、この表示イベントデータＢに示された表示領域データＡに対応する表示領域２ａ，２ｂ，２ｃ，２ｄに対する表示方法種別Ｂ５３による表示を許可するものである否かを確認する（ＳＴ４１）。
【００８０】
次いで、アクセスレベルＡ５が表示方法種別Ｂ５３を許すものであったときには、表示領域データＡ中の表示領域保護鍵識別子Ａ６にて特定する表示領域保護鍵と、表示イベントデータＢ中の表示領域アクセス鍵識別子Ｂ５２にて特定する表示領域アクセス鍵とを取得し（ＳＴ４２）、一方、ＳＴ４１の判定にてアクセスを許すものでなかったときには、処理を終了する。
【００８１】
ＳＴ４２に続いて、取得した表示領域保護鍵と表示領域アクセス鍵とにより表示領域２ａ，２ｂ，２ｃ，２ｄへのアクセス権獲得のための照合又は認証を行い（ＳＴ４３）、表示領域保護鍵と表示領域アクセス鍵とが正当なものであると判断したときには、表示領域２ａ，２ｂ，２ｃ，２ｄへのアクセス権を獲得して（ＳＴ４４）処理を終了するものであるが、ＳＴ４３にてアクセス権が無かったときには、そのまま終了する。
【００８２】
続いて、図８は、図６に示したデータの読み出しを説明するためのフローチャートである。
ここで、図６のＳＴ５に示したデータの読み出しは、予め、ＩＣチップ１に、アプリケーションのそれぞれに対応して、読み出すデータのデータ参照先情報Ｂ４を有する表示イベントデータＢと、データ参照先情報Ｂ４により特定される参照先データとを、アプリケーション毎に管理するデータ領域の、例えば、アプリケーションがそれぞれ管理する同一ディレクトリにて保持しておき、さらに、表示イベントデータＢ毎に、予め、データ参照先情報Ｂ４中に、参照先データを格納する位置を特定するための参照先データ位置情報Ｂ２と、参照先データにアクセスするためのアクセス権制御情報Ｂ３とを保持しておく。
【００８３】
同図に示すように、まず、表示イベントデータＢがデータ参照先情報Ｂ４を有するか否か確認して（ＳＴ５１）、データ参照先情報Ｂ４が無いときには、参照先として他のデータの読み出しをせずに終了するものであるが、データ参照先情報Ｂ４を有したときには、アクセス権制御情報Ｂ３を取得し（ＳＴ５３）、このアクセス権制御情報Ｂ３を用いて参照先データへのアクセス権獲得のための照合又は認証を行い（ＳＴ５３）、アクセス権制御情報Ｂ３が正当なものでないときには、参照先データを読まずに終了する。
【００８４】
一方、アクセス権制御情報Ｂ３が正当なものであり、アクセス権が確認できたときには、参照先データ位置情報Ｂ２を取得する（ＳＴ５４）して、参照先データ位置情報Ｂ２から特定するファイル内の参照先データを読み出す（ＳＴ５５）ものであるが、ここで、参照先データ位置情報Ｂ２は、ＩＣチップ１内にてユニークなファイル識別子Ｂ２２とレコード番号Ｂ２３、ＩＣチップ１内にてユニークなファイル識別子Ｂ２２とタグ番号、ＩＣチップ１に格納するデータオブジェクトのタグ番号のいずれであってもよく、さらに、ディレクトリ識別子Ｂ２１又はアプリケーション識別子とにより参照先データを特定するものであっても構わない。
【００８５】
引続き、図９は、図６に示した表示データの生成を説明するためのフローチャートである。
図６のＳＴ６に示した表示データの生成は、予め、表示イベントデータＢ中に表示データの表示形式を指定する表示変換形式Ｂ５４を格納しておくとともに、データ変換手段１５に、この表示変換形式Ｂ５４に対応するアプリケーションのそれぞれにより共有可能な変換規則（図示せず）を保持しておく。
【００８６】
ここで、まず、データ変換手段１５は、データ読み出し手段１４から表示イベントデータＢの表示変換形式Ｂ５４を含む表示イベントデータＢを取得して（ＳＴ６１）、この表示イベントデータＢにより所定の表示変換形式Ｂ５４が指定された場合に、この表示変換形式Ｂ５４に対応する変換規則に基づき読み出したデータを変換して、当該表示データを生成して（ＳＴ６２）、表示データの生成を終了するとよい。
【００８７】
以上、本発明の実施形態につき、その装置例及びこれに対応する方法例を挙げて説明したが、本発明は、必ずしも上述した手段及び手法にのみ限定されるものではなく、前述の効果を有する範囲内において、適宜、変更実施することが可能なものである。
【実施例】
【００８８】
続いて、本発明における装置例及び方法例も用いた具体的な実施例につき、表示領域例、ファイル構成例及びイベント例１乃至５を順に説明する。
【００８９】
（表示領域例）
図１０は、本発明のＩＣカードに搭載された表示部の表示領域分割構成図である。
同図に示すように、表示部２は、例えば、横２４０ドット、縦１６０ドットで構成されて、左上を原点とする座標で示すものとする。例えば、表示領域２ａは、その表示タイプ種別Ａ２を履歴タイプとして、位置は左上座標が（０，０）、大きさが横１６０ドット、縦８０ドットとして、同様にして、表示領域２ｂは、マークタイプ、左上座標（１６０，０）、横８０ドット、縦８０ドットとして、表示領域２ｃは、一覧タイプ、左上座標（０，８０）、横１６０ドット、縦８０ドット、表示領域２ｄは、スクロールタイプ、左上座標（１６０，８０）、横８０ドット、縦８０ドットとする。
【００９０】
なお、２４０×１６０ドットの表示が可能な表示部２において、１文字は、１６×１６ドットで構成して、改行時は行間スペースを空けずに詰めるものとしてもよく、表示部２又は表示領域２ａ，２ｂ，２ｃ，２ｄは、それぞれ行単位で管理されて、現在表示している最下行番号を保持して、表示するときには、最下行＋１行目から表示を行ない、表示する文字が長いために表示が１行に収まらないときには、次の行に続けて表示するようにしてもよい。
【００９１】
また、最上行から下の行に向かって表示データの表示を行ない、表示限界の最下行まで表示したときには、全領域を１行分上にずらしてから、空いた最下行に新しい表示データの表示を行なうとよく、外部に備わる表示データ出力手段１６からの表示データの出力を契機に表示を書き換える度に全領域を消去してから、空いた最上行に新しい情報の表示を行なう。
【００９２】
このとき、各行毎に表示出力したアプリケーションのアプリケーション識別子を保持しておき、表示データ出力手段１６からの新規な表示データの出力により新規に表示を書き込むときは、アプリケーション識別子が保持されていない行にこの表示データの書き込みを行い、２回目以降の書き込みは、書き込むアプリケーション識別子と同じ識別子が保持された行を書き換えを行ない、行を消すときには、消去するアプリケーション識別子と同じ識別子が保持された行の消去するとともに保持されたアプリケーション識別子も初期化するとよい。
【００９３】
さらに、表示領域２ａ，２ｂ，２ｃ，２ｄに書き込みを行なった過去の表示データと表示したアプリケーション識別子の一覧を複数保持して、この一覧の中から出現回数が多い順に、同一のアプリケーション識別子の最新表示データを最上行から表示するようにするとよく、これら、アプリケーション識別子や、表示データは、例えば、ＮＶＲＡＭ１ｄにて保持するとよい。
【００９４】
（ファイル構成例）
図１１は、本発明のＩＣカードにおけるファイル構成図であり、図１２は、図１１に示した表示領域管理ファイル構成図であり、図１３、図１４及び図１５は、図１１に示した表示イベント管理ファイル構成図であり、図１６及び図１７は、図１１に示した参照先データファイル構成図である。
【００９５】
ここで、ＩＣカードα内のディレクトリ構成は、例えば、ディレクトリ識別子「ｄ１」で示されるトップのディレクトリｄ１と、その配下にディレクトリ識別子「ｄ２」で示されるディレクトリｄ２と、ディレクトリ識別子「ｄ３」で示されるディレクトリｄ３を有する。
【００９６】
まず、トップのディレクトリｄ１の配下には、例えば、識別子「１０１」を持つ表示領域管理ファイル３（以下、表示領域管理ファイル１０１）、識別子「１０２」を持つ表示イベント管理ファイル４（以下、表示イベント管理ファイル１０２）、識別子「１０３」を持つ参照先データファイル１０３、識別子「１０４」を持ち鍵の内容を「ＡＢＣ」とする表示領域２ａ保護鍵１０４、識別子「１０５」を持ち鍵の内容を「ＤＥＦ」とする表示領域２ｂ保護鍵１０５、識別子「１０６」を持ち鍵の内容を「ＧＨＩ」とする表示領域２ｃ保護鍵１０６、識別子「１０７」を持ち鍵の内容を「ＪＫＬ」とする表示領域２ｄ保護鍵１０７を有する。
【００９７】
加えて、ディレクトリｄ１は、その配下に、識別子「１０８」を持ち鍵の内容を「ＧＨＩ」とする表示領域２ｃアクセス鍵１０８、識別子「１０９」を持ち鍵の内容を「ＪＫＬ」とする表示領域２ｄアクセス鍵１０９、識別子「１１０」を持ち鍵の内容を「ＭＮＯ」とするファイル保護鍵１１０、識別子「１１１」を持ち鍵の内容を「ＭＮＯ」とするアクセス用鍵１１１を有する。
【００９８】
次に、図１２に示すとおり、図１１に示した表示領域管理ファイル１０１について、例えば、表示部２がそれぞれ表示領域識別子Ａ１を「２ａ」，「２ｂ」，「２ｃ」，「２ｄ」とする表示領域２ａ，２ｂ，２ｃ，２ｄの４つに分割設定された場合を例に説明するものであるが、ここで、表示タイプ種別Ａ２は、例えば、１：スクロールタイプ、２：一覧タイプ、３：マークタイプ、４：履歴タイプとする。
【００９９】
また、アクセスレベルＡ５は、例えば、表示タイプ種別Ａ２にてスクロールタイプが設定されたときには、３：全面消去可能、２：スクロールアップ可能、１：書き換え可能、０：書き込み不可、の４つのレベルを有するように設定されて、例えばレベルは３が最も高いものと設定された場合、より低いレベルの動作をも含むものとする。
【０１００】
他に、アクセスレベルＡ５は、例えば、表示タイプ種別Ａ２にて一覧タイプが設定されたときには、１：書き換え可能、０：書き換え不可の２レベルから設定されるとよく、以下、マークタイプが設定されたときには、２：消去可能、１：書き換え可能、０：書き換え不可の３レベル、履歴タイプが設定されたときには、１：書き換え可能、０：書き換え不可の２レベルのうちのひとつが設定されるものとする。
【０１０１】
まず、表示領域識別子２ａの表示領域データＡである表示領域２ａデータは、例えば、表示タイプ識別子Ａ１が４：履歴タイプを示し、使用する表示領域２ａの座標は、左上座標（０，０）、右下座標（１５９，７９）で示される領域として、ディレクトリｄ１からのアクセスは、アクセスレベルＡ５に示すとおり、１：書き換え可能であり、この表示領域２ａに対するアクセスに必要な鍵の内容は表示領域保護鍵１０４で示される。
【０１０２】
同様にして、以下ディレクトリｄ２，ｄ３についても設定されて、また、同様に各表示領域２ｂ，２ｃ，２ｄに関しても各ディレクトリｄ１，ｄ２，ｄ３毎に設定される。
【０１０３】
続いて、図１３を用いて、図１１に示した表示イベント管理ファイル１０２について説明するものであるが、ここで、例えば、イベント種別Ｂ１１は、１：活性化、２：選択、３：書き換え、４：鍵のロック、５：ディレクトリ又はファイルの創成を示すものとする。
【０１０４】
まず、表示イベント管理ファイル１０２は、イベント種別Ｂ１１が、１：活性化であり、活性化時のイベントであることを示す。ここで、対象ファイル／ディレクトリ識別子Ｂ１２、レコード番号Ｂ１３は使用しないことを示す０を保持し、参照先データは、ディレクトリｄ１の識別子「１０３」にて特定するファイル中のレコード番号「１」のデータを参照することを示すものである。
【０１０５】
この参照先データを保護するための鍵としてファイル保護鍵識別子「１１０」、この参照先データにアクセスするための鍵としてアクセス用鍵識別子「１１１」がそれぞれ保持されて、表示領域識別子Ｂ５１には、表示領域２ｃの一覧タイプを指定することを示し、この表示領域２ｃにアクセスするために、表示領域アクセス鍵識別子Ｂ５２として「１０８」を保持して、参照先データファイル１０３を変換する形式として、活性化時にカード所有者の名前を表示させるため、“こんにちは％ｓ  様”を保持する。
【０１０６】
この表示イベント管理ファイル１０２には、さらにイベント種別Ｂ１１が５：ディレクトリ創成を示す表示イベントデータＢを保持するものであるが、この表示イベントデータＢは、例えば、ディレクトリｄ３が創成されたときに表示をさせるため、対象ファイル／ディレクトリ識別子Ｂ１２を、「ｄ３」とし、レコード番号は使用しないため「０」が保持されて、参照先データはないので、データ参照先情報Ｂ４はいずれも「０」を保持する。
【０１０７】
表示領域識別子Ｂ５１には、４：スクロールタイプの表示領域２ｄを指定するものであり、この表示領域ｄ４にアクセスするために表示領域アクセス鍵識別子Ｂ５２として「１０９」を保持し、表示変換形式Ｂ５４は、ここでは参照先データを用いずに、“サービス３が追加されました”の文字列を保持する。
【０１０８】
また、参照先データを保持する参照先データファイル１０３は、図１６に示すとおり、例えば、長さ２０バイトのレコードを１つ保持して、このレコードには、カードの所有者の名前を保持するものとする。
【０１０９】
次に、ディレクトリｄ２のファイルは、例えば、図１１に示すとおり、その配下に、識別子「２０１」を持つ表示イベント管理ファイル４（以下、表示イベント管理ファイル２０１）、識別子「２０２」を持つ参照先データファイル２０２、識別子「２０３」を持ち鍵の内容を「ＡＢＣ」とする表示領域２aアクセス鍵２０３、識別子「２０４」を持ち鍵の内容を「ＤＥＦ」とする表示領域２ｂアクセス鍵２０４、識別子「２０５」を持ち鍵の内容を「ＰＱＲ」とするファイル保護鍵２０５、識別子「２０５」を持ち鍵の内容を「ＰＱＲ」とするアクセス用鍵２０６を有する。
【０１１０】
ここで、表示イベント管理ファイル２０１は、図１４に示すとおり、それぞれ表示イベント管理ファイル１０２と同様にして、２つのそれぞれ対応する情報を保持して２つの表示イベントデータ（それぞれイベント種別Ｂ１１が、２：ディレクトリ選択、３：書き換えを示すもの）を格納し、参照先データファイル２０２は、図１７に示すとおり、長さ２バイトのレコードを１つ保持して、このレコードには、電子マネーの残高がバイナリ形式（ここでは、２０００円として、「０７Ｄ０ｈ」）で保持するものとする。
【０１１１】
続いて、ディレクトリｄ３のファイルは、例えば、図１１に示すとおり、その配下に、識別子「３０１」を持つ表示イベント管理ファイル４（以下、表示イベント管理ファイル３０１）、識別子「３０２」を持ち鍵の内容を「ＳＴＵ」とする照合用鍵３０２、識別子「３０３」を持ち鍵の内容を「ＪＫＬ」とする表示領域２ｄアクセス鍵３０３を有する。
【０１１２】
ここで、表示イベント管理ファイル３０１は、図１５に示すとおり、それぞれ表示イベント管理ファイル１０２，２０１と同様にして、対応する情報をそれぞれ保持する１つの表示イベントデータ（イベント種別Ｂ１１が、４：鍵の閉塞を示すもの）を格納して、照合用鍵３０２を用いた鍵照合が失敗したときに、この照合用鍵３０２が閉塞したときのイベントに適用される。
【０１１３】
なお、図１３乃至図１５に示した表示変換形式Ｂ５４に対応してＩＣカードαに搭載されたアプリケーションから共有可能に構成されたデータ変換手段１５の保持する変換規則として、例えば、参照先データをそのまま表示することを示す“％Ｘ．Ｙｓ”（ただし、Ｘ及びＹは正の整数値）で示された場合には、参照先データの先頭からＸバイト目からＹバイト分を文字コードとして表示して、Ｘが省略された場合は、先頭からＹバイト目までを表示し、Ｙが省略された場合は、参照先データの全てのレコードを文字コードとして表示するよう定義するものとする。
【０１１４】
さらに変換規則として、表示変換形式Ｂ５４が、例えば、数値に変換して表示することを示す“％Ｘ．Ｙｄ”（ただし、Ｘ及びＹは正の整数値）で示された場合、参照先データの先頭からＸバイト目からＹバイト分のデータをバイナリデータとみなし、１０進数字に変換して表示し、Ｘが省略された場合は、先頭からＹバイト目までを表示し、Ｙが省略された場合は、参照先データの全てのデータを数字として表示するよう定義するものとする。
【０１１５】
一方、表示変換形式Ｂ５４において、例えば、置き換えて表示することを示す“％Ｘ．Ｙ，Ｐ１：Ｑ１，Ｐ２：Ｑ２・・・，ｄ”（ただし、Ｘ及びＹは正の整数、ｉを正の整数としてＰｉ及びＱｉは任意の文字列）で示された場合、参照先データの先頭からＸバイト目からＹバイト分のデータを文字コードとし、この文字列の中で文字列Ｐｉと一致する文字列があれば、文字列Ｑｉに置き換えてから、この文字列を表示し、文字列Ｐｉ又はＱｉに「，」又は「：」を含めたい場合、それぞれ「￥，」又は「￥：」と表すものとして、Ｘが省略された場合は、先頭からＹバイト目までを表示し、Ｙが省略された場合は、参照先データの全てのレコードを文字コードとして表示するよう定義するものとする。
【０１１６】
他方、例えばこれらの予め設定されたデータ変換規則１５が保持する変換規則に該当するものでない文字列が表示変換形式Ｂ５４に格納された場合、そのデータをそのまま表示するもととして変換規則を構成するものであっても構わない。
【０１１７】
（イベント例１：活性化）
図１８は、活性化イベントにおける表示方法を説明するためのフローチャートである。
まず、同図に示すように、例えば、状態変化検出手段１２においてＩＣカードαへの電力の供給を検知してＩＣチップ１の初期化処理を行った（Ｓａ１）ときに、続いて、データ読み出し手段１４により、表示処理情報記憶手段１１内に保持された全ての表示イベント管理ファイル４の中から、イベント種別が、「１：活性化」である表示イベントデータＢを検索する（Ｓａ２）。
【０１１８】
さらに、見つけた表示イベントイベントデータＢ内の表示領域識別子Ｂ５１から表示領域２ｃデータを取得して（Ｓａ３）、引続き、表示領域アクセス権獲得手段１３により、カレントディレクトリであるディレクトリｄ１の識別子のアクセスレベルＡ５が、表示イベントデータＢ内の表示方法種別Ｂ５３以上であるか確認して（Ｓａ４１）、ここでは、ディレクトリｄ１のアクセスレベルＡ５が「１」、表示方法種別Ｂ５３が「１」であるので、表示可能であり、以降に続く。
【０１１９】
引続き、データ読み出し手段１４は、表示イベントデータＢ内の表示変換形式Ｂ５４から参照先データファイルが必要であるか確認して（Ｓａ５１）、この場合、“％ｓ”があり、他の参照先データを参照する必要があるため、参照先データを読み出すものであるが、まず、ファイル保護鍵識別子「１１０」に示される鍵とアクセス用鍵識別子「１１１」に示される鍵を取得して（Ｓａ５２）、その鍵の内容が等しいことを照合又は認証により確認し（Ｓａ５３）、この場合、ファイル保護鍵１１０は「ＭＮＯ」であり、アクセス用鍵１１１の内容も「ＭＮＯ」であり、正しいアクセスであるから、次に進む。
【０１２０】
続いて、参照先データ位置情報Ｂ２内のディレクトリ識別子Ｂ２１、ファイル識別子Ｂ２２、レコード番号Ｂ２３を取得して（Ｓａ５４）、この場合、ディレクトリｄ１の参照先データファイル１０３内のレコード１の内容である「東京太郎」を読み出して（Ｓａ５５）、データ変換手段１５により、表示変換形式Ｂ５４に従って表示データを生成して（Ｓａ６）、表示データ出力手段１６から表示データを表示領域２ｃに出力して表示領域２ｃに「こんにちは東京太郎様」と表示する（Ｓａ７，Ｓａ８）。この表示結果は、図２３に示すとおりである。
【０１２１】
（イベント例２：ディレクトリ創成）
図１９は、ディレクトリ創成イベントにおける表示方法を説明するためのフローチャートである。
まず、同図に示すように、例えば、ＩＣカードαが図示しないリーダライタからディレクトリｄ３の創成コマンドを受信し、ＩＣチップ１内においてディレクトリｄ３を創成、リーダライタにレスポンスを返したときに、状態変化検出手段１２において、ディレクトリｄ３の創成を検出する（Ｓｂ１）。
【０１２２】
次に、データ読み出し手段１４において、表示処理情報記憶手段１１内に保持された全ての表示イベント管理ファイル４からイベント種別Ｂ１１が、「５：ディレクトリ創成」であるものを検索して（Ｓｂ２）、ここで、表示イベント管理ファイル１０２の２番目に格納された表示イベントデータＢを見つけ、続いて、表示領域識別子Ｂ５１に示される表示領域データＡを取得する（Ｓｂ３）。ここでは、表示領域識別子Ｂ５１は、「２ｄ」であり、表示領域管理ファイル１０１内の表示領域２ｄデータを見つける。
【０１２３】
続いて、表示領域アクセス権獲得手段１３により、Ｓｂ３にて取得した表示領域データＡ内にあるカレントディレクトリに対応するアクセスレベルＡ５が、表示イベントデータＢ内の表示方法種別Ｂ５３以上であることを確認して（Ｓｂ４）、ここでは、カレントディレクトリはディレクトリｄ１で、そのアクセスレベルＡ５は「３」であり、表示方法種別Ｂ５３は「２」であるので、表示可能であり、以降に続く。
【０１２４】
ここで、データ読み出し手段１４により、表示イベントデータＢ内の表示変換形式Ｂ５４から、他のデータを参照する必要があるかを確認して（Ｓｂ５１）、参照する参照先データがあれば参照先データを読み出す（Ｓｂ５５）ものであるが、ここでは、他のデータを参照するものではなく、そのまま次に進む。
【０１２５】
引続き、表示領域アクセス権獲得手段１３により、Ｓｂ３にて見つけた表示領域データＡ内で、カレントディレクトリのディレクトリｄ１に対応する表示領域保護鍵識別子「１０７」で示される表示領域保護鍵１０７と、表示イベントデータＢ内の表示領域アクセス鍵識別子「１０９」で示される表示領域アクセス鍵１０９を取得して（Ｓｂ４２）、その内容が等しいものかどうか照合又は認証により確認する（Ｓｂ４３）ものであるが、ここでは、表示領域保護鍵１０７と表示領域アクセス鍵１０９の内容がともに「ＪＫＬ」であり、両者は等しいので、正しいアクセスとみなし、処理を進める。
【０１２６】
続いて、データ変換手段１５により、表示変換形式Ｂ５４に従って表示データを生成して（Ｓｂ６）、表示データ出力手段１６から表示データを表示領域２ｄに出力して表示領域２ｄに「サービス３が追加されました」と表示する（Ｓｂ７，Ｓｂ８）。この表示結果は、図２４に示すとおりである。
【０１２７】
（イベント例３：ディレクトリ選択，マークタイプ）
図２０は、ディレクトリ選択イベントにおける表示方法を説明するためのフローチャートであり、図２５は、マークタイプのバッファの例を示す。
【０１２８】
図２５に示すとおり、図２０に示す表示タイプ種別Ａ２が「２：マークタイプ」の表示領域２ｂに表示を行なうためには、例えば、ＩＣチップ１内において、行毎に一度表示したイベントを有する表示イベントデータＢを有する表示イベント管理ファイル４が属するディレクトリの識別子をマークタイプ用バッファ７として保持し、消去したときには、保持する識別子を「０」としてクリアするようにするとよい。
【０１２９】
まず、図２０に示すように、例えば、ＩＣカードαが図示しないリーダライタから識別子「ｄ２」のディレクトリｄ２選択コマンドを受信し、ＩＣチップ１内においてディレクトリｄ２を選択、リーダライタにレスポンスを返したときに、状態変化検出手段１２において、ディレクトリｄ２の選択を検出する（Ｓｃ１）。
【０１３０】
次に、データ読み出し手段１４において、表示処理情報記憶手段１１内の全ての表示イベント管理ファイル４からイベント種別Ｂ１１が「２」であり、対象ファイル／ディレクトリ識別子Ｂ１２が「ｄ２」である表示イベントデータＢを検索する（Ｓｃ２）。ここでは、表示イベント管理ファイル２０１の１番目の表示イベントデータＢを見つける。
【０１３１】
続いて、Ｓｃ２にて見つけた表示イベントデータＢの中から表示領域識別子「２ｂ」に示される表示領域データＡを見つける（Ｓｃ３）。ここでは、表示領域管理ファイル１０１の表示領域２ｂデータを見つけて、引続き、表示領域アクセス権獲得手段１３により、Ｓｃ３にて見つけた表示領域２ｂデータ内にあるカレントディレクトリのディレクトリｄ２に対応するアクセスレベルＡ５の「２」が、表示イベントデータＢ内の表示方法種別Ｂ５３の「１：書き換え」以上であることを確認して（Ｓｃ４１）、この場合、条件を満たすので、以降に続く。
【０１３２】
ここで、データ読み出し手段１４により、表示イベントデータＢ内の表示変換形式Ｂ５４から、他のデータを参照する必要があるかを確認して（Ｓｃ５１）、参照する参照先データがあれば参照先データを読み出す（Ｓｃ５５）ものであるが、ここでは、他のデータを参照するものではなく、そのまま次に進む。
【０１３３】
引続き、表示領域アクセス権獲得手段１３により、Ｓｃ３にて見つけた表示領域２ｂデータ内で、カレントディレクトリのディレクトリｄ２に対応する表示領域保護鍵識別子「１０５」と、表示イベントデータＢ内の表示領域アクセス鍵識別子「２０４」で示される表示領域保護鍵１０５と表示領域アクセス鍵２０４とを取得して（Ｓｃ４２）、表示領域保護鍵１０５と表示領域アクセス鍵２０４との示す内容を照合又は認証等により確認する（Ｓｃ４３）。
【０１３４】
ここでは、表示領域保護鍵１０５と表示領域アクセス鍵２０４と内容がともに「ＤＥＦ」であり、両者等しいので、正しいアクセスとみなし、処理を進め、データ変換手段１５により、表示変換形式Ｂ５４に従って表示データを生成する（Ｓｃ６）ものであるが、この場合、「○×鉄道」となる。
【０１３５】
次いで、表示データ出力手段１６から表示データを表示領域２ｂに出力する（Ｓｃ７）ものであるが、表示領域２ｂの表示タイプ種別がマークタイプであるので、図２５に示したマークタイプ用バッファ７からどの行が使われているのか確認し、書き換える行を選択して、ここでは、２行目のディレクトリ識別子が「０」であるので、２行目に出力し、表示領域２ｂに表示する（Ｓｃ８）。この表示結果は、図２６に示すとおりである。
【０１３６】
（イベント例４：データ書き換え、履歴タイプ）
図２１は、データ書き換えイベントにおける表示方法を説明するためのフローチャートであり、図２７は、履歴タイプのバッファの例を示す。
【０１３７】
図２７に示すとおり、図２１に示す表示タイプ種別Ａ２が「４：履歴タイプ」の表示領域２ａに表示を行なうためには、例えば、ＩＣチップ１内において、過去に発生したイベントに対応する表示イベントデータＢと表示イベント管理ファイル４が属するディレクトリの識別子を保持する履歴タイプ用バッファ８を保持して、この履歴タイプ用バッファ８のデータ領域が一杯になったときには、古いイベントのものから順に削除するとよく、例えば、不揮発性メモリのＮＶＲＡＭ１ｄにて保持するようにすることで、電力がなってもそのデータ内容を保持可能となる。
【０１３８】
まず、図２１に示すように、例えば、ＩＣカードαが、カレントディレクトリとして例えばディレクトリｄ２において、図示しないリーダライタから参照先データファイル２０２のレコード番号「１」に対する書き換えコマンドを受信し、ＩＣチップ１内において、例えば、２０００円を示す「０７Ｄ０ｈ」とする書き換え処理を行い、リーダライタにレスポンスを返したときに、状態変化検出手段１２において、データ書き換えを検出する（Ｓｄ１）。
【０１３９】
次に、データ読み出し手段１４において、表示処理情報記憶手段１１内の全ての表示イベント管理ファイル４からイベント種別Ｂ１１が「３」であり、対象ファイル／ディレクトリ識別子Ｂ１２が「２０２」、レコード番号Ｂ２３が「１」である表示イベントデータＢを検索する（Ｓｄ２）。ここでは、表示イベント管理ファイル２０１の２番目の表示イベントデータＢを見つける。
【０１４０】
続いて、Ｓｄ２にて見つけた表示イベントデータＢの中から表示領域識別子「２ａ」に示される表示領域データＡを見つける（Ｓｄ３）。ここでは、表示領域管理ファイル１０１の表示領域２ａデータを見つけて、引続き、表示領域アクセス権獲得手段１３により、Ｓｄ３にて見つけた表示領域２ａデータ内にあるカレントディレクトリのディレクトリｄ２に対応するアクセスレベルＡ５の「１」が、表示イベントデータＢ内の表示方法種別Ｂ５３の「１：書き換え」以上であることを確認して（Ｓｄ４１）、この場合、条件を満たすので、以降に続く。
【０１４１】
引続き、データ読み出し手段１４は、表示イベントデータＢ内の表示変換形式Ｂ５４から他の参照先データを参照する必要があるか否か確認して（Ｓｄ５１）、この場合、“％１．２ｄ”があり、参照先データを読む必要があり、ファイル保護鍵識別子「２０５」とアクセス用鍵識別子「２０６」とで示されるファイル保護鍵２０５とアクセス用鍵２０６を取得する（Ｓｄ５２）。
【０１４２】
続いて、ファイル保護鍵２０５とアクセス用鍵２０６との鍵の内容が等しいことを照合又は認証等により確認して（Ｓｄ５３）、ここでは、ファイル保護鍵２０５とアクセス用鍵２０６との内容がともに「ＰＱＲ」であり、正しいアクセスであるから、次の処理に進む。
【０１４３】
Ｓｄ５３の後、データ読み出し手段１４は、参照先データ位置情報Ｂ２内のディレクトリ識別子「ｄ２」で示されるディレクトリｄ２にある、ファイル識別子「２０２」、レコード番号「１」を取得して（Ｓｄ５４）、特定されたレコードの「０７Ｄ０ｈ」を参照先データとして読み出し（Ｓｄ５５）、データ変換手段１５は、表示変換形式Ｂ５４の「“○×残高：％１．２ｄ円”」に従い表示データを生成する（Ｓｄ６）。
【０１４４】
次いで、表示データ出力手段１６は、Ｓｄ６にて生成した表示データを出力して表示する（Ｓｄ７，Ｓｄ８）ものであるが、生成した表示データを、表示イベント管理ファイルの属するディレクトリｄ２の識別子「ｄ２」とともに、履歴タイプ用バッファ８に最新の表示データとして追加する。
【０１４５】
この場合は、図２７に示すように、ディレクトリ識別子「ｄ２」と文字列“○×残高２０００円”が登録されて、図２７は、履歴タイプ用バッファ８の更新前（ａ）と更新後（ｂ）の様子を示し、同図（ｂ）では、ディレクトリ識別子「ｄ２」が３件と最も多いため、最上行に最新の表示データを追加したものである。また、この表示結果は、図２８に示すとおりであり、図２７と同様にして更新前（ａ）と更新後（ｂ）の様子を示すものである。
【０１４６】
（イベント例５：鍵の閉塞、スクロールタイプ）
図２２は、鍵の閉塞イベントにおける表示方法を説明するためのフローチャートである。
【０１４７】
まず、同図に示すように、例えば、ＩＣカードαが、カレントディレクトリの例えばディレクトリｄ３において、図示しないリーダライタから照合用鍵３０２に対する照合コマンドを受信し、ＩＣチップ１内において照合処理を行い、リーダライタにレスポンスを返すものであるが、このとき、指定された鍵の内容が間違っており、照合用鍵３０２が閉塞してしまったときに、状態変化検出手段１２において、鍵の閉塞を検出する（Ｓｅ１）。
【０１４８】
次に、データ読み出し手段１４において、表示処理情報記憶手段１１内の全ての表示イベント管理ファイル４からイベント種別Ｂ１１が「４」であり、対象ファイル／ディレクトリ識別子Ｂ１２が「３０２」である表示イベントデータＢを検索する（Ｓｅ２）。ここでは、表示イベント管理ファイル３０１の表示イベントデータＢを見つける。
【０１４９】
続いて、Ｓｅ２にて見つけた表示イベントデータＢの中から表示領域識別子「２ｄ」に示される表示領域データＡを見つける（Ｓｅ３）。ここでは、表示領域管理ファイル１０１の表示領域２ｄデータを見つけて、引続き、表示領域アクセス権獲得手段１３により、Ｓｅ３にて見つけた表示領域２ｄデータ内にあるカレントディレクトリのディレクトリｄ３に対応するアクセスレベルＡ５の「３」が、表示イベントデータＢ内の表示方法種別Ｂ５３の「１：書き換え」以上であることを確認して（Ｓｅ４１）、この場合、条件を満たすので、以降に続く。
【０１５０】
ここで、データ読み出し手段１４により、表示イベントデータＢ内の表示変換形式Ｂ５４から、他のデータを参照する必要があるかを確認して（Ｓｅ５１）、参照する参照先データがあれば参照先データを読み出す（Ｓｅ５５）ものであるが、ここでは、他のデータを参照するものではなく、そのまま次に進む。
【０１５１】
引続き、表示領域アクセス権獲得手段１３により、Ｓｅ３にて見つけた表示領域２ｄデータ内で、カレントディレクトリのディレクトリｄ３に対応する表示領域保護鍵識別子「１０７」と、表示イベントデータＢ内の表示領域アクセス鍵識別子「３０３」で示される表示領域保護鍵１０７と表示領域アクセス鍵３０３とを取得して（Ｓｅ４２）、表示領域保護鍵１０７と表示領域アクセス鍵３０３との示す内容を照合又は認証等により確認する（Ｓｅ４３）。
【０１５２】
ここでは、表示領域保護鍵１０７と表示領域アクセス鍵３０３と内容がともに「ＪＫＬ」であり、両者等しいので、正しいアクセスとみなし、処理を進め、データ変換手段１５により、表示変換形式Ｂ５４に従って表示データを生成する（Ｓｅ６）して、表示データ出力手段１６から表示データを表示領域２ｄに出力して表示領域２ｄに、「この暗証番号は使えません。窓口にお越しください。」と表示する（Ｓｅ７，Ｓｅ８）。この表示結果は、図２９に示すとおりである。
【０１５３】
以上、本発明の具体的な実施例を異なるイベント例を挙げて説明したが、本発明は、ＩＣカードαに複数のアプリケーションを搭載して、このアプリケーションに基づくアプリケーションデータ（参照先データ）が異なるディレクトリにて保持することを想定し、他のアプリケーション提供者が表示部２の各表示領域２ａ，２ｂ，２ｃ，２ｄを書き換えたり、他のディレクトリに属するファイル内のデータを悪用することを防ぐため、例えば鍵照合によるアクセス権制御を行なうものであり、参照先データファイル１０３，２０２を読み出すためのアクセス権制御と、表示領域２ａ，２ｂ，２ｃ，２ｄを書き換えるためのアクセス権制御とを有する。
【図面の簡単な説明】
【０１５４】
【図１】本発明の装置例に係るＩＣカードの機能構成図である。
【図２】図１に示したＩＣカードの具体的なハードウェア構成の（ａ）外観図及び（ｂ）内部構成図である。
【図３】同上したＩＣチップのハードウェアブロック図である。
【図４】同上した表示領域管理ファイルを説明するための図である。
【図５】同上した表示イベント管理ファイルを説明するための図である。
【図６】本発明の方法例に適用されるＩＣカードのデータ表示方法を示すフローチャートである。
【図７】同上した表示領域アクセス権の獲得を説明するためのフローチャートである。
【図８】同上したデータの読み出しを説明するためのフローチャートである。
【図９】同上した表示データの生成を説明するためのフローチャートである。
【図１０】本発明のＩＣカードに搭載された表示部の表示領域分割構成図である。
【図１１】本発明のＩＣカードにおけるファイル構成図である。
【図１２】同上した表示領域管理ファイル１０１構成図である。
【図１３】同上した表示イベント管理ファイル１０２構成図である。
【図１４】同上した表示イベント管理ファイル２０１構成図である。
【図１５】同上した表示イベント管理ファイル３０１構成図である。
【図１６】同上した参照先データファイル１０３構成図である。
【図１７】同上した参照先データファイル２０２構成図である。
【図１８】イベント例１を説明するためのフローチャートである。
【図１９】イベント例２を説明するためのフローチャートである。
【図２０】イベント例３を説明するためのフローチャートである。
【図２１】イベント例４を説明するためのフローチャートである。
【図２２】イベント例５を説明するためのフローチャートである。
【図２３】イベント例１における表示結果を示す図である。
【図２４】イベント例２における表示結果を示す図である。
【図２５】マークタイプ用バッファを示す図である。
【図２６】イベント例３における表示結果を示す図である。
【図２７】（ａ）更新前（ｂ）更新後の履歴タイプ用バッファを示す図である。
【図２８】（ａ）更新前（ｂ）更新後のイベント例４における表示結果を示す図である。
【図２９】イベント例５における表示結果を示す図である。
【符号の説明】
【０１５５】
α…ＩＣカード
１…ＩＣチップ
１１…表示処理情報記憶手段
１２…状態変化検出手段
１３…表示領域アクセス権獲得手段
１４…データ読み出し手段
１５…データ変換手段
１６…表示データ出力手段
１ａ…ＣＰＵ
１ｂ…ＲＯＭ
１ｃ…ＲＡＭ
１ｄ…ＮＶＲＡＭ
１ｅ…接触通信制御部
１ｆ…無線通信制御部
１ｇ…表示制御部
２…表示部
２ａ，２ｂ，２ｃ，２ｄ…表示領域
２１…ＶＲＡＭ
３，１０１…表示領域管理ファイル
４，１０２，２０１，３０１…表示イベント管理ファイル
５…接触端子
６…アンテナ
Ａ…表示領域データ
Ａ１…表示領域識別子
Ａ２…表示タイプ種別
Ａ３…表示領域座標
Ａ４，Ａ４´…ディレクトリ識別子
Ａ５，Ａ５´…アクセスレベル
Ａ６，Ａ６´…表示領域保護鍵識別子
Ｂ…表示イベントデータ
Ｂ１…イベント条件情報
Ｂ１１…イベント種別
Ｂ１２…対象ファイル／ディレクトリ識別子
Ｂ１３…レコード番号
Ｂ２…参照先データ位置情報
Ｂ２１…ディレクトリ識別子
Ｂ２２…ファイル識別子
Ｂ２３…レコード番号
Ｂ３…アクセス権制御情報
Ｂ３１…ファイル保護鍵識別子
Ｂ３２…アクセス用鍵識別子
Ｂ４…データ参照先情報
Ｂ５…表示動作情報
Ｂ５１…表示領域識別子
Ｂ５２…表示領域アクセス鍵識別子
Ｂ５３…表示方法種別
Ｂ５４…表示変換形式
ｄ１，ｄ２，ｄ３…ディレクトリ
１０３，２０２…参照先データファイル
１０４，１０５，１０６，１０７…表示領域保護鍵
１０８，１０９，２０３，２０４，３０３…表示領域アクセス鍵
１１０，２０５…ファイル保護鍵
１１１，２０６…アクセス用鍵
３０２…照合用鍵
７…マークタイプ用バッファ
８…履歴タイプ用バッファ
【図１】
2005071258.tif 000003
【図２】
2005071258.tif 000004
【図３】
2005071258.tif 000005
【図４】
2005071258.tif 000006
【図５】
2005071258.tif 000007
【図６】
2005071258.tif 000008
【図７】
2005071258.tif 000009
【図８】
2005071258.tif 000010
【図９】
2005071258.tif 000011
【図１０】
2005071258.tif 000012
【図１１】
2005071258.tif 000013
【図１２】
2005071258.tif 000014
【図１３】
2005071258.tif 000015
【図１４】
2005071258.tif 000016
【図１５】
2005071258.tif 000017
【図１６】
2005071258.tif 000018
【図１７】
2005071258.tif 000019
【図１８】
2005071258.tif 000020
【図１９】
2005071258.tif 000021
【図２０】
2005071258.tif 000022
【図２１】
2005071258.tif 000023
【図２２】
2005071258.tif 000024
【図２３】
2005071258.tif 000025
【図２４】
2005071258.tif 000026
【図２５】
2005071258.tif 000027
【図２６】
2005071258.tif 000028
【図２７】
2005071258.tif 000029
【図２８】
2005071258.tif 000030
【図２９】
2005071258.tif 000031